(57)【要約】      （修正有）【課題】ナットの締付作業が簡単迅速で緩み止め効果が確実に発揮でき、しかも管理が容易で使い勝手のよい偏心ロックナットを提供する。【解決手段】上ナット１の締付座面１２にねじ孔１１より大径な偏心円筒部１３をねじ孔１１の中心に対し偏心させて設ける。偏心円筒部１３の中心部に上記ねじ孔１１と同心円上に環状係止部１４を軸方向外方に向かって突設する。下ナット２の締付座面１２との対面側に偏心円筒部１３の挿入を許す偏心円形凹部２２をねじ孔２１の中心に対し偏心させて設ける。偏心円形凹部２２の底面中心部に、係止部１４の挿入を許しかつ奥側に行く程大径となるテーパ内周面２３ａを有する係合穴部２３をねじ孔２１と同心円上に形成する。偏心円形凹部２２内に偏心円筒部１３を突入させ、係合部１４の先端部を係合穴部２３のテーパ内周面２３ａに変形係合させて下ナット２に上ナット１を分離不能に保持させる。【選択図】図１
0003155204.tif 000002
【実用新案登録請求の範囲】
【請求項１】
ボルトに螺合するねじ孔１１を有する上ナット１とボルトに螺合するねじ孔２１を有する下ナット２とからなり、上ナット１の締付座面１２にねじ孔１１より大径な偏心円筒部１３をねじ孔１１の中心Ａに対し若干偏心させて設けると共に、偏心円筒部１３の中心部に、上記ねじ孔１１と同心円上に係止部１４を軸方向外方に向かって突設する一方、下ナット２の上記締付座面１２との対面側に上記偏心円筒部１３の挿入を許す偏心円形凹部２２をねじ孔２１の中心Ｂに対し若干偏心させて設けると共に、偏心円形凹部２２の底面中心部に、上記係止部１４の挿入を許しかつ奥側に行く程大径となるテーパ内周面２３ａを有する係合穴部２３を上記ねじ孔２１と同心円上に形成し、偏心円形凹部２２内に偏心円筒部１３を突入させると共に、係合部１４の先端部を係合穴部２３のテーパ内周面２３ａに変形係合させて下ナット２に上ナット１を分離不能に保持させたことを特徴とする偏心ロックナット。
【請求項２】
係止部１４が、環状を呈しその基部側から先端側に行くほど肉薄となるくさび形状に形成されていると共に、その環状係止部１４の内面が先端側に行くほど大径となるテーパ状に形成されており、偏心円形凹部２２内に偏心円筒部１３を突入させたとき、上記環状係止部１４の先端部を係合穴部２３の底面に突き当たらせてテーパ内周面２３ａに沿うように拡開変形させ、その変形先端部１４ａをテーパ内周面２３ａに係合させるようにしたことを特徴とする請求項１記載の偏心ロックナット。
【考案の詳細な説明】
【技術分野】
【０００１】  本考案は固定ボルトなどに用いられる緩み防止用の偏心ロックナットに関する。
【背景技術】
【０００２】  一般に、ナットの緩み防止手段としては上ナットと下ナットとからなるダブルナットが用いられ、下ナットを締め付けた後、上ナットを下ナットに押し付けるように締め付けて、下ナットが緩んだり外れたりしないように固定している。
【考案の開示】
【考案が解決しようとする課題】
【０００３】  ところが、上記したダブルナットによれば、下ナットと上ナットを個々に締め付ける作業が必要となるため作業性が悪い問題があり、しかも、下ナットと上ナットを共に適性なトルクで締め付けなければ、緩み止め効果が十分に発揮されないといった問題を有していた。【０００４】  そこで、本考案は、ナットの締め付け作業が簡単迅速に行え、しかも、ナットの緩み止め効果が確実に発揮でき、さらに、分離することがなく管理が容易で使い勝手のよい偏心ロックナットの提供を課題とする。
【課題を解決するための手段】
【０００５】  上記した課題を解決するために本願の請求項１記載の考案は、ボルトに螺合するねじ孔１１，２１を有する上ナット１と下ナット２とからなり、上ナット１の締付座面１２にねじ孔１１より大径な偏心円筒部１３をねじ孔１１の中心Ａに対し若干偏心させて設けると共に、偏心円筒部１３の中心部に、上記ねじ孔１１と同心円上に係止部１４を軸方向外方に向かって突設する一方、下ナット２の上記設する一方、下ナット２の上記締付座面１２との対面側に上記偏心円筒部１３の挿入を許す偏心円形凹部２２をねじ孔２１の中心Ｂに対し若干偏心させて設けると共に、偏心円形凹部２２の底面中心部に、上記係止部１４の挿入を許しかつ奥側に行く程大径となるテーパ内周面２３ａを有する係合穴部２３を上記ねじ孔２１と同心円上に形成し、偏心円形凹部２２内に偏心円筒部１３を突入させると共に、係合部１４の先端部を係合穴部２３のテーパ内周面２３ａに変形係合させて下ナット２に上ナット１を分離不能に保持させたことを特徴とする。【０００６】  また、本願の請求項２記載の考案は、請求項１記載の構成において、係止部１４が、環状を呈しその基部側から先端側に行くほど肉薄となるくさび形状に形成されていると共に、その環状係止部１４の内面が先端側に行くほど大径となるテーパ状に形成されており、偏心円形凹部２２内に偏心円筒部１３を突入させたとき、上記環状係止部１４の先端部を係合穴部２３の底面に突き当たらせてテーパ内周面２３ａに沿うように拡開変形させ、その変形先端部１４ａをテーパ内周面２３ａに係合させるようにしたことを特徴とする。
【考案の効果】
【０００７】  本考案の偏心ロックナットによれば、上記した構成により  上ナット１と下ナット２を一緒に締め付けるだけでよいので、その締め付け作業が簡単迅速に行え、しかも、締結時には、被締結物に当接して固定化された下ナットへの上ナットの締付力（推力）によるダブルナット本来の緩み止め作用と、上ナット１の偏芯円筒状部１４と下ナット２の偏心円形凹部２２との相対回転に伴うボルトに対する半径方向のくさび作用とが相俟ってより一層確実な緩み止め効果が発揮できる。さらに、上ナット１の偏芯円筒状部１２を偏心円形凹部２２に突入させるとき、偏芯円筒状部１２に設けた係止部１４の先端部を係合穴部２３のテーパ内周面に沿うように拡開変形させてその変形先端部１４ａを係合穴部２３に係合させ、下ナット２に上ナット１を分離不能に保持させているので、これらナット１，２のいずれか一方が紛失したりするといったことがなく、また使用時にも常に一体化した状態のもとで使用でき、その管理が容易で使い勝手のよい偏心ロックナットが得られる。【０００８】  また、係止部１４を、環状を呈しその基部側から先端側に行くほど肉薄にとなるくさび形状に形成すると共に、その環状係止部１４の内面を先端側に行くほど大径となるようテーパ状に形成し、偏心円形凹部２２内に偏心円筒部１３を突入させたとき、上記環状係止部１４の先端部を係合穴部２３の底面に突き当たらせてテーパ内周面２３ａに沿うように拡開変形させ、その変形先端部１４ａをテーパ内周面２３ａに係合させるように構成すれば、偏芯円筒状部１２を偏心円形凹部２２に突入させるだけで、偏芯円筒状部１２に設けた環状係止部１４の先端部を、そのテーパ内面の形状と、係合穴部２３の底面への突き当たりとを利用して係合穴部２３のテーパ内周面２３ａに簡単容易にかつ正確に沿うように拡開変形させて係合させることができるのでこのましい。
【考案を実施するための最良の形態】
【０００９】  以下、本考案の実施の形態を図面に基づいて説明する。【００１０】  図１は、本考案に係る偏心ロックナットを示し、この偏心ロックナットはボルトに螺合するねじ孔１１を有する上ナット１と、ボルトに螺合するねじ孔２１を有する下ナット２とからなる。図２及び図３に示すように、上ナット１はその締付座面１２にねじ孔１１より大径な偏心円筒部１３がねじ孔１１の中心Ａに対しＸだけ偏心させて設けられていると共に、偏心円筒部１３の中心部に、上記ねじ孔１１と同心円上に環状係止部１４が軸方向外方に向かって突設されている一方、環状係止部１４は、その基部側から先端側に行くほど肉薄にとなるくさび形状に形成されていると共に、環状係止部１４の内面が先端側に行くほど大径となるようテーパ状（ラッパ状）に形成されている。上ナット１の外周輪郭形状は六角形状を呈している。【００１１】  図４及び図５に示すように、下ナット２は上記締付座面１２との対面側に上記偏心円筒部１３の挿入を許す偏心円形凹部２２がねじ孔２１の中心Ｂに対しＸ′だけ偏心させて設けられていると共に、偏心円形凹部２２の底面中心部に、上記環状係止部１４の挿入を許しかつ奥側に行く程大径となるテーパ内周面２３ａを有する係合穴部２３がねじ孔２１と同心円上に形成されている。下ナット２の外周輪郭形状は上ナット１と同様の六角形状を呈している。ここで係合穴部２３の底部は扁平状でその深さは、環状係止部１４の外方への突出長さに対してやや浅く形成されている。【００１２】  そして、上ナット１と下ナット２を組み付ける際には、下ナット２の偏心円形凹部２２内に上ナット１の偏心円筒部１３を突入させる。すると、環状係合部１４の先端部が係合穴部２３の底面に突き当たるように干渉して、その先端部が係合穴部２３のテーパ内周面に沿うように拡開変形されて変形先端部１４ａが形成される。これにより、図１に示すように環状係合部１４の変形先端部１４ａと、係合穴部２３のテーパー状内周面２３ａとが係合することになり、上ナット１と下ナット２とが分離不能に保持されて一体状に組み付けられる。【００１３】  上記した偏心ロックナットを製造する際、上、下ナット１，２の各ねじ孔１１，１２は、両者を分離不能に組み付ける前に形成しておいてもよいが、これらのねじ孔１１，１２を先に形成せず、予め上、下ナット１，２を所定のセット位置に合わせて一体状に組み付け、その後、後工程でその組み付け状態を維持したまま上、下ナット１，２を所定の位置に同時にねじ加工するのがこのましい。このように構成すれば、上、下ナット１，２のねじ孔１１，１２の芯出しが正確に行われた状態の製品が出来上るので、両ナット１，２のボルトへの螺合時、その螺合作業を迅速容易に行うことが可能となる。なお、図６は偏心ロックナットの使用状態を示し、符号３、４は被締結物、５はボルトである。【００１４】  次に以上のように構成した偏心ロックナットの作用について説明する。【００１５】  図６に示すように被締結物３，４に貫挿したボルト５のねじ部５１に偏心ロックナットを螺合して締め付ける。この締め付けにおいて、最初は上ナット１と下ナット２とが一体化した状態でボルト５にねじ込まれるが、下ナット２が被締結物３に当���して回転が阻止されると上ナット１のみが回転することになり、その結果、上ナット１による締付力（軸方向の推力）が下ナット２側に作用し、ダブルナット本来の緩み止め作用が発生する。また、締付時、下ナット２の偏心円形凹部２２と、これに嵌入された上ナット１の偏心円筒状部１３が共にねじ孔１１、２１の中心線Ａ，Ｂに対してそれぞれＸ，Ｘ′だけ偏芯しているので、偏芯円筒部１３と偏芯円筒凹部２２とのくさび作用によりねじ孔１１にその中心Ａに対し直角方向の押圧力（ボルト５を押し付ける力）が作用し、この押圧力により両ナット１，２の第２の緩み止め作用が発生する。その結果、軸方向の推力によるダブルナット本来の緩み止め作用と、偏芯円筒部１３と偏心円形凹部２２とのくさび作用による緩み止め作用と相俟ってより一層確実な緩み止め効果が発揮できる。【００１６】  また、上ナット１の偏芯円筒部１３を偏心円形凹部２２に突入させるとき、偏芯円筒状部１２に設けた環状係止部１４の先端部を係合穴部２３のテーパ内周面２３ａに沿うように拡開変形させて、その変形先端部１４ａを係合穴部２３に係合させ、下ナット２に上ナット１を分離不能に保持させているので、上ナット１と下ナットＢとの組み付けを簡単容易に行なうことができる。そして、このように両ナット１，２を分離不能に保持させることにより、これらナット１，２のいずれか一方が紛失するといったことがなく、その管理が容易であり、また、使用時にも常に一体化した状態のもとで用いることができ、使い勝手のよい偏心ロックナットが得られる。【００１７】  上記した実施の形態では、下ナット２の外周輪郭形状を六角形状としたものについて説明したけれども、例えば、図７及び図８に示すようには円形状としたものであってもよいし、その他、四角形状や八角形状などの多角形であってもよい。なお、図７及び図８においては円形の外周輪郭形状以外の構成は先の実施の形態のものと同一であるので、同一の符号を付しその具体的な構成及び作用についての説明は省略する。このように構成した場合にも、上記した実施の形態の場合と同様の作用効果が期待できる。
【図面の簡単な説明】
【００１８】
【図１】  本考案に係る偏心ロックナットの縦断面図である。
【図２】  同上ナットの一部切り欠き正面図である。
【図３】  同上ナットの底面図である。
【図４】  同下ナットの縦断面図である。
【図５】  同下ナットの平面図である。
【図６】  偏心ロックナットの使用状態の説明図である。
【図７】  下ナットの別の実施の形態を示す一部切り欠き正面図である。
【図８】  下ナットの平面図である。
【符号の説明】
【００１９】１          上ナット
２          下ナット
１１        ねじ孔
１２        締付座面
１３        偏心円筒部
１４        環状係止部
１４ａ      変形先端部
２１        ねじ孔
２２        偏心円形凹部
２３        係合穴部
２３ａ      テーパ内周面
【図１】
0003155204.tif 000003
【図２】
0003155204.tif 000004
【図３】
0003155204.tif 000005
【図４】
0003155204.tif 000006
【図５】
0003155204.tif 000007
【図６】
0003155204.tif 000008
【図７】
0003155204.tif 000009
【図８】
0003155204.tif 000010